(57)【要約】【構成】複数の支持片１２ａ，１２ａ，…の各々は、短冊状に形成される。プレート１２は、このような複数の支持片１２ａ，１２ａ，…を幅方向に並べかつ隣り合う長辺で結合してなる。複数のプリント基板１４，１４，…は、複数の支持片１２ａ，１２ａ，…の結合部の上方を回避して、複数の支持片１２ａ，１２ａ，…の上方にそれぞれ積層される。ＬＥＤを覆うレンズ部材１８は、複数のプリント基板１４の各々に取り付けられる。【効果】光源装置を円柱に装着するときの作業性を改善することができる。【選択図】図９
2008191339.tif 000002
【特許請求の範囲】
【請求項１】
各々が短冊状に形成された複数の支持片を幅方向に並べかつ隣り合う長辺で結合してなる支持部材、
前記支持片の結合部の上方を回避して前記複数の支持片の上方にそれぞれ積層される複数の基板、および
前記複数の基板の各々に実装される光源を備える、光源装置。
【請求項２】
前記複数の基板の前記支持部材からの高さは互いに一致する、請求項１記載の光源装置。
【請求項３】
前記基板の主面の面積は前記支持片の主面の面積以下である、請求項１または２記載の光源装置。
【請求項４】
前記支持部材は取り付け先の円柱に対向する下面を有する、請求項１ないし３のいずれかに記載の光源装置。
【請求項５】
前記支持部材は前記支持片の結合部で湾曲可能である、請求項１ないし４のいずれかに記載の光源装置。
【発明の詳細な説明】
【技術分野】
【０００１】
この発明は、光源装置に関し、特にたとえばＬＥＤを用いた電光看板に適用され、文字および／または図形が描かれた透光フィルムに背面から光を照射する、光源装置に関する。
【背景技術】
【０００２】
従来のこの種の装置の一例が、特許文献１に開示されている。この従来技術によれば、プリント基板の表面には、乱反射層が形成されるとともに、複数の発光ダイオードが実装される。透過乱反射層を有する透光プレートは、プリント基板の表面と対向し、かつプリント基板から離れた位置に配置される。文字等が描かれたフィルムは、透光プレートの表面に貼着される。
【０００３】
発光ダイオードから放出された光は透光プレートの背面に照射され、一部は透過乱反射層を透過して外部に放出される一方、他の一部は透過乱反射層で乱反射する。乱反射された光は、プリント基板上の乱反射層で反射され、再び透光プレートの背面に照射される。発光ダイオードから放出された光は、このような乱反射を繰り返した後、透光プレートの外部に放出される。この結果、発光ダイオードのような点光源を用いても、高品位の表示性能が得られる。
【特許文献１】特開２００４−２２１５２８号公報［H01L 33/00］
【発明の開示】
【発明が解決しようとする課題】
【０００４】
しかし、従来技術によれば、プリント基板は一方主面が開口した金属性の箱型ケースに収納され、透光プレートは箱型ケースの開口部を閉塞するようにケースに装着される。つまり、従来技術の装置は円柱の外周面に沿うように設置することを想定しておらず、それゆえに円柱に接する面の曲げ加工について何ら開示していない。
【０００５】
それゆえに、この発明の主たる目的は、円柱に設置するときの作業性を改善することができる、光源装置を提供することである。
【課題を解決するための手段】
【０００６】
請求項１の発明に従う光源装置(10：実施例で相当する参照符号。以下同じ)は、各々が短冊状に形成された複数の支持片(12a)を幅方向に並べかつ隣り合う長辺で結合してなる支持部材(12)、支持片(12a)の結合部の上方を回避して複数の支持片(12a)の上方にそれぞれ積層される複数の基板(14)、および複数の基板(14)の各々に実装される光源(20)を備える。
【０００７】
複数の支持片(12a)の各々は、短冊状に形成される。支持部材(12)は、このような複数の支持片(12a)を幅方向に並べかつ隣り合う長辺で結合してなる。複数の基板(14)は、複数の支持片(12a)の結合部の上方を回避して複数の支持片(12a)の上方にそれぞれ積層される。光源(20)は、複数の基板(14)の各々に実装される。
【０００８】
幅方向に並べられた短冊状の支持片(12a)は隣り合う長辺で結合されるため、支持部材(12)はこの結合部で容易に湾曲する。また、基板(14)は支持片(12a)の結合部の上方を回避して積層されるため、支持部材(12)を下方向に湾曲させる過程、あるいは湾曲状態から元の平坦状態に戻す過程で、支持片(12a)どうしが接触することはない。これによって、光源装置(10)を円柱に装着するときの作業性を改善することができる。
【０００９】
請求項２の発明に従う光源装置(10)は、請求項１に従属し、複数の基板(14)の支持部材(12)からの高さは互いに一致する。
【００１０】
請求項３の発明に従う光源装置(10)は、請求項１または２に従属し、基板(14)の主面の面積は支持片(12a)の主面の面積以下である。
【００１１】
請求項４の発明に従う光源装置(10)は、請求項１ないし３のいずれかに従属し、支持部材(12)は円柱に対向する下面を有する。
【００１２】
請求項５の発明に従う光源装置(10)は、請求項１ないし４のいずれかに従属し、支持部材は支持片の結合部で湾曲可能である。
【発明の効果】
【００１３】
この発明によれば、幅方向に並べられた短冊状の支持片(12a)は隣り合う長辺で結合されるため、支持部材(12)はこの結合部で容易に湾曲する。また、基板(14)は支持片(12a)の結合部の上方を回避して積層されるため、支持部材(12)を下方向に湾曲させる過程、あるいは湾曲状態から元の平坦状態に戻す過程で、支持片(12a)どうしが接触することはない。これによって、光源装置(10)を円柱に装着するときの作業性を改善することができる。また、支持部材(12)が湾曲することで光源(20)から透光フィルムまでの距離を一定に保つことができ、照度むらの抑制が実現される。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例の光源装置１０は、円柱Ｐ１に対向する下面を有する長方形の支持プレート１２を含む。プリント基板１４，１４，…は、係止具１６，１６，…によって支持プレート１２の上面に係止される。各々のプリント基板１４の上面には複数のＬＥＤ２０，２０，…（図３（Ａ）参照）が長さ方向に沿って実装され、各々のＬＥＤ２０はレンズ部材１８によって覆われる。また、各々のプリント基板１４の上面の長さ方向両端には、電気コード（図示せず）と接続するためのコネクタ２２および２２が実装される。透光プレート２４は、円柱Ｐ１の曲率と略同じ曲率を有し、支持プレート１２に装着されたプリント基板１４，１４，…を覆うように円柱Ｐ１に取り付けられる。複数のＬＥＤ２０の各々から放出された光は、レンズ部材１８を経て透光プレート２４の裏面に照射される。透光プレート２４の表面には広告用の透光フィルム（図示せず）が貼着されており、透光フィルムに描かれた広告は裏面から照らし出される。
【００１６】
図２（Ａ）および図２（Ｂ）を参照して、支持プレート１２は、各々が短冊状に形成された金属製の複数の支持片１２ａ，１２ａ，…を有する。支持片１２ａ，１２ａ，…は短冊の幅方向に並べられ、かつ隣り合う２つの支持片１２ａおよび１２ａは短冊の長辺で互いに結合される。具体的には、支持プレート１２の幅方向に沿って延びる切欠１２ｃおよび貫通孔１２ｄが、隣り合う２つの支持片１２ａおよび１２ａの間に形成される。このような切欠１２ｃおよび貫通孔１２ｄが、２つの支持片１２ａおよび１２ａの結合部をなす。
【００１７】
複数の支持片１２ａ，１２ａ，…は、短冊の幅方向において、支持片１２ａと異なる形状を有する２つの支持片１２ｂおよび１２ｂによって挟まれる。支持片１２ｂもまた短冊状に形成されるが、支持片１２ｂをなす短冊の幅は支持片１２ａをなす短冊の幅よりも大きい。切欠１２ｃおよび貫通孔１２ｄは、支持片１２ｂおよびこれに隣接する支持片１２ａの間にも形成される。つまり、支持片１２ａおよび１２ｂもまた、短冊の長辺で互いに結合される。支持片１２ｂをなす短冊の幅方向の開放端は上方に屈曲する。
【００１８】
支持片１２ａをなす短冊の長さ方向および幅方向における対称的な４つの位置の各々には、係止具１６を挿入するべく、支持片１２ａの上面から下面に貫通する貫通孔Ｈ１が形成される。支持片１２ｂ上の同様の位置にも、貫通孔Ｈ１が形成される。支持片１２ｂの開放端近傍にはまた、支持プレート１２を円柱Ｐ１に取り付けるための貫通孔Ｈ２が形成される。
【００１９】
図３（Ａ）および図３（Ｂ）を参照して、プリント基板１４は短冊状に形成され、その主面の面積ないしサイズは支持片１２ａの主面の面積ないしサイズとほぼ一致する。プリント基板１４の上面には、図８に示す白色のレジスト層Ｌ１（または高反射シート）が形成される。複数のＬＥＤ２０，２０，…は、プリント基板１４の上面の幅方向中央に、互いに同じ距離を隔てて実装される。また、コネクタ２２および２２は、プリント基板１４の上面の長さ方向両端に実装される。さらに、プリント基板１４の幅方向においてＬＥＤ２０を挟む２つの位置の各々には、レンズ部材１８を装着するべく、プリント基板１４の上面から下面に貫通する貫通孔Ｈ３が形成される。プリント基板１４の長さ方向および幅方向における対称的な４つの位置の各々には、係止具１６を挿入するべく、プリント基板１４の上面から下面に貫通する貫通孔Ｈ４が形成される。なお、貫通孔Ｈ４の内径は、支持プレート１２に形成された貫通孔Ｈ１（図２（Ａ）参照）の内径よりも小さい。
【００２０】
図４を参照して、係止具１６は、合成樹脂を材料として一体成形された部材であり、上方に湾曲した板状のベース１６ａを有する。ベース１６ａの上面中央には角柱１６ｂが設けられ、角柱１６ｂの高さ方向ほぼ中央には円板状の鍔１６ｃが設けられる。鍔１６ｃをなす円板の外径は、支持プレート１２に形成された貫通孔Ｈ１（図２（Ａ）参照）の内径よりも小さく、かつプリント基板１４に形成された貫通孔Ｈ４（図３（Ａ）参照）の内径よりも大きい。
【００２１】
鍔１６ｃの下面の対称的な２つの位置には、斜め下外側に延出する２つの羽根１６ｄおよび１６ｄがそれぞれ設けられる。羽根１６ｄは角柱１６ｄを包むように湾曲し、羽根１６ｄの厚みは羽根１６ｄの開放端近傍で薄くされる。厚みが変化した位置からベース１６ａの上面までの距離は、貫通孔Ｈ１の厚み（支持片１２ａの厚み）と略一致する。２つの羽根１６ｅおよび１６ｅはそれぞれ、角柱１６ｂの開放端の対称的な２つの位置から斜め下外側に延出する。羽根１６ｅも角柱１６ｄを包むように湾曲し、羽根１６ｅの厚みもまた羽根１６ｅの開放端近傍で薄くされる。厚みが変化した位置から鍔１６ｃの上面までの距離は、貫通孔Ｈ４の厚み（プリント基板１４の厚み）と略一致する。
【００２２】
図５を参照して、レンズ部材１８は、合成樹脂によって一体成形された部材であり、円筒形のレンズ本体１８ａを有する。レンズ本体１８ａの上面は逆円錐に削られ、レンズ本体１８ａの下面は中央部を除いて平坦とされる。中央部には、ＬＥＤ２０が収まる矩形の凹部１８ｂが形成される。２つの爪１８ｃおよび１８ｃは、ＬＥＤ２０を挟むようにプリント基板１４に形成された２つの貫通孔Ｈ３およびＨ３に対応して、レンズ本体１８ａの下面周辺の対称的な２つの位置から下方向に延出する。爪１８ｃの先端には、外方に突出する返し１８ｄが形成される。レンズ部材１８の下面から返し１８ｄまでの距離は貫通孔Ｈ３の厚みに相当する。
【００２３】
図６を参照して、レンズ部材１８を形成する爪１８ｃおよび１８ｃは、ＬＥＤ２０の近傍に形成された貫通孔Ｈ３およびＨ３にそれぞれ挿入される。ＬＥＤ２０は、レンズ本体１８ａの下面に形成された凹部１８ｂに収められる。レンズ部材１８の脱落は、爪１８ｃに形成された返しによって防止される。レンズ部材１８は、図７および図８に示す要領でプリント基板１４に装着される。図８に示すように、ＬＥＤ２０から放出された光の一部は逆円錐状に削られたレンズ本体１８ａの上面から出射される。ＬＥＤ２０から放出された光の他の一部は、レンズ本体１８ａの上面，レンズ本体１８ａの側面およびレジスト層Ｌ１を経て出射される。
【００２４】
レンズ部材１８が装着されたプリント基板１４はその後、図９（Ａ）に示す要領で支持プレート１２に装着される。まず、係止具１６が、支持プレート１２に形成された貫通孔Ｈ１に支持プレート１２の下面から挿入される。係止具１６は、ベース１６ａの上面が支持プレート１２の下面に接触するまで挿入される。羽根１６ｄの厚みの変化点は返しとして機能し、これによって係止具１６の支持プレート１２からの離脱が防止される。
【００２５】
支持プレート１２に装着された係止具１６は次に、プリント基板１４に形成された貫通孔Ｈ４に挿入される。係止具１６は、鍔１６ｃの上面がプリント基板１４の下面に接触するまで挿入される。ここでは羽根１６ｅの厚みの変化点が返しとして機能し、これによって係止具１６のプリント基板１４からの離脱が防止される。複数のプリント基板１４，１４，…は、複数の支持片１２ａ，１２ａ，…の結合部の上方を回避して、複数の支持片１２ａ，１２ａ，…の上方にそれぞれ積層される。積層された複数のプリント基板１４，１４，…の支持プレート１２からの高さは、互いに一致する。こうして図９（Ｂ）に示す光源装置１０が完成し、図１に示すように円柱Ｐ１に取り付けられる。
【００２６】
以上の説明から分かるように、複数の支持片１２ａ，１２ａ，…の各々は、短冊状に形成される。支持プレート（支持部材）１２は、このような複数の支持片１２ａ，１２ａ，…を幅方向に並べかつ隣り合う長辺で結合してなる。複数のプリント基板１４，１４，…は、複数の支持片１２ａ，１２ａ，…の結合部の上方を回避して、複数の支持片１２ａ，１２ａ，…の上方にそれぞれ積層される。ＬＥＤ２０は、複数のプリント基板１４の各々に実装される。
【００２７】
幅方向に並べられた短冊状の支持片１２ａは隣り合う長辺で結合されるため、支持プレート１２はこの結合部で容易に湾曲する。また、プリント基板１４は支持片１２ａの結合部の上方を回避して積層されるため、支持プレート１２を下方向に湾曲させる過程、あるいは湾曲状態から元の平坦状態に戻す過程で、支持片１２ａどうしが接触することはない。これによって、光源装置１０を円柱Ｐ１に装着するときの作業性を改善することができる。
【００２８】
また、レンズ部材１８を使用することでＬＥＤ２０同士の距離を離すことができ、ＬＥＤ２０の数の削減が図られる。さらに、レンズ部材１８を使用することで、ＬＥＤ２０から透光プレート２４までの距離を短縮でき、薄型の看板照明装置が実現される。また、レンズ部材１８は着脱可能なキャップ型の部材であるため、上述した効果（部品点数の削減や、薄型化）を容易に達成することができる。
【００２９】
なお、図５に示すレンズ部材１８に代えて、図１０に示すレンズ部材２６を採用するようにしてもよい。図１０を参照して、このレンズ部材２６は、レンズ本体２６ａをなす円筒の下端近傍の外周面に円板状の鍔２６ｂを形成した（鍔２６ｂの材料は、好ましくは高反射材または白色の材料）点を除き、図５に示すレンズ部材１８と同じである。このようなレンズ部材２６は、図１１〜図１３に示す要領でプリント基板１４に装着される。図１３に示すように、ＬＥＤ２０から放出された光の一部は逆円錐状に削られたレンズ本体２６ａの上面から出射される。ＬＥＤ２０から放出された光の他の一部は、レンズ本体２６ａの上面，レンズ本体２６ａの側面および鍔２６ｂの上面を経て出射される。なお、図１３に示すプリント基板１４のレジスト層Ｌ１は白色でなくてもよい。
【００３０】
なお、この実施例では、切欠１２ｃおよび貫通孔１２ｄが隣り合う２つの支持片１２ａおよび１２ａの結合部をなすが、隣り合う２つの支持片１２ａはゴム２８（若しくは樹脂材料）によって図１４（Ａ）および図１４（Ｂ）に示す要領で結合されてもよい。図１４（Ａ）および図１４（Ｂ）によれば、支持片１２ａの表面から裏面に貫通する複数の貫通孔Ｈ５，Ｈ５，…が、支持片１２ａの長辺に沿って形成される。ゴム２８は、支持片１２ａの長辺とほぼ同じ長さを有する。ゴム２８の幅方向両端は平坦に形成され、ゴム２８の幅方向中央はＵ字状に湾曲する。また、幅方向両端の下面には、複数の貫通孔Ｈ５，Ｈ５，…にそれぞれ対応して複数の凸状部２８ａ，２８ａ，…が形成される。隣り合う２つの支持片１２ａおよび１２ａは、複数の凸状部２８ａ，２８ａ，…を複数の貫通孔Ｈ５，Ｈ５，…に挿入することで互いに結合される。なお、図１４（Ａ）および図１４（Ｂ）では、説明の便宜上、図２（Ａ）または図２（Ｂ）に示す貫通孔Ｈ１の図示を省略しているだけであり、実際には図２（Ａ）または図２（Ｂ）に示す要領で支持片１２ａに設けられる。
【００３１】
また、プリント基板１４の主面の面積ないしサイズは、支持片１２ａの主面の面積ないしサイズよりも小さくてもよい。さらに、上述の実施例では、レンズ部材１８または２６を使用することでＬＥＤ２０の数の削減とＬＥＤ２０から透光プレート２４までの距離の短縮化とを図っているが、このような対策が不要であれば、レンズ部材１８または２６は省略してもよい。
【図面の簡単な説明】
【００３２】
【図１】この発明の一実施例の外観を示す斜視図である。
【図２】（Ａ）は支持プレートを斜め上方から眺めた外観を示す上方斜視図であり、（Ｂ）は支持プレートを斜め下方から眺めた外観を示す下方斜視図である。
【図３】（Ａ）はプリント基板を斜め上方から眺めた外観を示す上方斜視図であり、（Ｂ）はプリント基板を斜め下方から眺めた外観を示す下方斜視図である。
【図４】係止具の外観を示す斜視図である。
【図５】レンズ部材の外観を示す斜視図である。
【図６】プリント基板にレンズ部材を装着する工程を示す図解図である。
【図７】レンズ部材が装着されたプリント基板の部分拡大図である。
【図８】レンズ部材が装着されたプリント基板の部分断面図である。
【図９】（Ａ）はプリント基板を支持プレートに装着する工程を示す図解図であり、（Ｂ）はプリント基板が支持プレートに装着された状態を示す斜視図である。
【図１０】他の実施例に適用されるレンズ部材を示す斜視図である。
【図１１】図１０に示すレンズ部材が装着されたプリント基板の外観を示す斜視図である。
【図１２】図１０に示すレンズ部材が装着されたプリント基板の部分拡大図である。
【図１３】図１０に示すレンズ部材が装着されたプリント基板の部分断面図である。
【００３３】
【図１４】（Ａ）はこの発明の他の実施例に適用される支持プレートの一部を示す図解図であり、（Ｂ）はこの発明の他の実施例に適用される支持プレートの他の一部を示す図解図である。
【符号の説明】
【００３４】
１０  …光源装置
１２  …支持プレート
１４  …プリント基板
１６  …係止具
１８  …レンズ部材
２０  …ＬＥＤ
２２  …コネクタ
２４  …透光プレート
【図１】
2008191339.tif 000003
【図２】
2008191339.tif 000004
【図３】
2008191339.tif 000005
【図４】
2008191339.tif 000006
【図５】
2008191339.tif 000007
【図６】
2008191339.tif 000008
【図７】
2008191339.tif 000009
【図８】
2008191339.tif 000010
【図９】
2008191339.tif 000011
【図１０】
2008191339.tif 000012
【図１１】
2008191339.tif 000013
【図１２】
2008191339.tif 000014
【図１３】
2008191339.tif 000015
【図１４】
2008191339.tif 000016